(57)【要約】【課題】第１の方向に第１の画像を、第２の方向に前記第１の画像とは異なる第２の画像を同一画面上に表示可能な表示手段を有する表示装置において、第１の画像に対応する音声が突然出力されることにより、第２の画像の視聴者が驚いたり、視聴している画像の音声を聞き逃したりする。【解決手段】  第１の方向に第１の画像を、第２の方向に前記第１の画像とは異なる第２の画像を同一画面上に表示可能な表示手段と、前記第１の画像に対応する第１の音声の出力、及び前記第２の画像に対応する第２の音声の出力をさせる音声出力制御手段と、前記第１の音声が出力される前に、前記第１の音声が出力されることを前記第２の画像の観察者に告知させる告知手段とを備えることを特徴とする電子機器を提供する。以上の構成により、第２の画像の視聴者は、事前に第２の画像に第１の画像に対応する音声が出力されることを表示で知らせることで、驚きや音声の聞き逃しを抑えることができる。【選択図】図７
2008045892.tif 000002
【特許請求の範囲】
【請求項１】
第１の方向に第１の画像を、第２の方向に前記第１の画像とは異なる第２の画像を同一画面上に表示可能な表示手段と、
前記第１の画像に対応する第１の音声の出力、及び前記第２の画像に対応する第２の音声の出力をさせる音声出力制御手段と、
前記第1の音声が出力される前に、前記第１の音声が出力されることを前記第２の画像の観察者に告知させる告知手段とを備えることを特徴とする電子機器。
【請求項２】
運転席方向に、位置検出手段により検出された現在位置に応じたナビゲーション画像を、助手席方向に助手席用画像を同一画面上に表示可能な表示手段と、
前記ナビゲーション画像に対応する第１の音声の出力、及び前記助手席用画像に対応する第２の音声の出力をさせる音声出力制御手段と、
前記第１の音声が出力される前に、前記第１の音声が出力されることを、音声又は、前記助手席用画像への表示により、前記助手席用画像の観察者に告知させる告知手段とを備えることを特徴とするナビゲーション装置。
【請求項３】
前記告知手段は、前記第２の音声が出力されているときに、前記告知をさせることを特徴とする請求項１に記載の電子機器、又は請求項２に記載のナビゲーション装置。
【請求項４】
前記告知手段は、位置検出手段により検出された現在位置に応じて、前記第２の画像、又は前記助手席用画像上に表示をさせることを特徴とする請求項１に記載の電子機器、又は請求項２に記載のナビゲーション装置。
【請求項５】
前記告知手段による表示が複数種類あり、前記複数種類の表示から選択することができる選択手段を備えることを特徴とする請求項１に記載の電子機器、又は請求項２に記載のナビゲーション装置。
【請求項６】
前記音声出力制御手段は、前記第１の音声の音量、及び前記第２音声の音量をそれぞれ調整可能であり、前記第１の音声の出力が行われていないときの前記第の２音声の音量よりも、前記第１の音声の出力が行われているときの前記第２の音量を大きくさせることを特徴とする請求項１若しくは請求項３乃至５に記載の電子機器、又は請求項２乃至５に記載のナビゲーション装置。
【発明の詳細な説明】
【技術分野】
【０００１】
本発明は、第１の方向に第１の画像を、第２の方向に前記第１の画像とは異なる第２の画像を同一画面上に表示可能な電子機器およびナビゲーション装置に関する。
【背景技術】
【０００２】
車両に取り付けられたナビゲーション装置は、テレビやＤＶＤの再生機能を有し、ナビゲーション画像表示や音声案内の他、テレビやＤＶＤの映像表示や音声出力等を行うことができる。しかしながら、車両が走行中の場合、運転者が画面を注視する恐れのあるテレビやＤＶＤ等の動画像を表示させないよう視聴制限を設けている。このため、画面を注視しても問題がない同乗者までもがテレビやＤＶＤ画像を見ることができない。
【０００３】
この問題に対し、異なる方向に対して、異なる画像を表示させることが可能な表示部を備えたナビゲーション装置が提案されている。この装置では、車両が走行中であっても、運転者への画像には、ナビゲーション表示以外のテレビやＤＶＤの動画に視聴制限を施し、助手席の同乗者へは、テレビやＤＶＤの画像を提供することが可能となり、助手席等の同乗者は、テレビやＤＶＤを視聴することが可能となった。このような装置は、例えば特許文献１や特許文献２などに開示されている。
【０００４】
【特許文献１】特開２００３−１３７００５号
【特許文献２】特開平１０−１２３４６１号
【発明の開示】
【発明が解決しようとする課題】
【０００５】
ところで、上述のナビゲーションの装置において、助手席同乗者が視聴可能な画像（以後Ｐ席画像と言う）として、テレビやＤＶＤ画像が表示されているとき、車両内に備え付けられたスピーカからは、Ｐ席画像に対応したテレビやＤＶＤの音声が出力される。一方、運転者が視聴可能な画像（以後Ｄ席画像と言う）として、ナビゲーション画像が表示されているとき、右左折等を行う予め定められた音声案内の地点に車両が到達すると、車両内の一部のスピーカからその音声案内が出力される。つまり、このとき異なる２つの音声が同時に発せられてしまう。このため、例えばＤＶＤの音声を聞いていた同乗者は、運転席側の状況を知らないため、予期せぬナビゲーションの音声により驚くことで、ＤＶＤの音声を聞きづらくなったり、ＤＶＤの音声か他の音声か分からなくなったりする問題がある。本発明は、視聴中のものとは別の音声の発生を、音声又は表示によって告知し、例えばテレビやＤＶＤ等の動画像を視聴中の同乗者が、視聴していないナビゲーション音声の突然の割り込みが生じるようなときに驚かないようにすることを目的としてなされたものである。
【課題を解決するための手段】
【０００６】
上記目的を達成するために、本発明の電子機器は、第１の方向に第１の画像を、第２の方向に前記第１の画像とは異なる第２の画像を同一画面上に表示可能な表示手段と、前記第１の画像に対応する第１の音声の出力、及び前記第２の画像に対応する第２の音声の出力をさせる音声出力制御手段と、前記第１の音声が出力される前に、前記第１の音声が出力されることを前記第２の画像の観察者に告知させる告知手段とを備えることを特徴としているものである。
【０００７】
また上記目的を達成するために、本発明のナビゲーション装置は、運転席方向に、位置検出手段により検出された現在位置に応じたナビゲーション画像を、助手席方向に助手席用画像を同一画面上に表示可能な表示手段と、前記ナビゲーション画像に対応する第１の音声の出力、及び前記助手席用画像に対応する第２の音声の出力をさせる音声出力制御手段と、前記第１の音声が出力される前に、前記第１の音声が出力されることを、音声又は、前記助手席用画像への表示により、前記助手席用画像の観察者に告知させる告知手段とを備えることを特徴としているものである。
【０００８】
さらに本発明の電子機器またはナビゲーション装置では、前記告知手段は、前記第２の音声が出力されているときに、前記告知をさせることを特徴としている。さらに本発明の電子機器またはナビゲーション装置では、前記告知手段は、位置検出手段により検出された現在位置に応じて、前記第２の画像、又は前記助手席用画像上に表示をさせることを特徴としている。
【０００９】
さらに本発明の電子機器またはナビゲーション装置では、前記告知手段による表示が複数種類あり、前記複数種類の表示から選択することができる選択手段を備えることを特徴としている。
【００１０】
さらに本発明の電子機器またはナビゲーション装置では、前記音声出力制御手段は、前記第１の音声の音量、及び前記第２音声の音量をそれぞれ調整可能であり、前記第１の音声の出力が行われていないときの前記第の２音声の音量よりも、前記第１の音声の出力が行われているときの前記第２の音量を大きくさせることを特徴としている。
【発明の効果】
【００１１】
本発明によれば、第２の画像を視聴時において、第１の画像に対応する音声の出力を第２の画像の視聴者に知らせることができるため、視聴していない画像の音声出力によって、第２の画像の視聴者が驚かないようにすることができる。
【発明を実施するための最良の形態】
【００１２】
以下、発明を実施するための最良の形態について、図面を参照して説明する。図１は、本発明に係る電子機器の表示手段の概念図である。表示部７に対する視野角に応じて、観察者１０は第１の表示画像（テレビ・ＤＶＤ画像）８を、観察者１１は第２の表示画像（ナビゲーション画像）を実質的に同時に見ることができ、しかも各々の表示画像８、９は、表示部７の表示面全体に渡ってみることができることを概念的に示している。なお、第１の表示画像８に画像データを供給する第１の画像ソース１は、例えばテレビの受信映像やＤＶＤ（Ｄｉｇｉｔａｌ  Ｖｅｒｓａｔｉｌｅ  Ｄｉｓｃ）の映画画像であり、第２の表示画像９に画像データを供給する第２の画像ソース２は、カーナビゲーション装置の地図やルート案内画像等である。これら画像ソース１、２から画像データ３、４が供給され、表示部７に表示されるように、表示制御部５が表示データ６を送り、制御を行っている。なお、画像ソースが同じであれば、左右の利用者が同じ画像を見ることになる。
【００１３】
図２（ａ）は、本発明に係る電子機器を車載機器に適用したナビゲーション装置の車両への搭載例を示す斜視図である。本発明に係るナビゲーション装置１７は、運転席１３と助手席１２とのほぼ中央のダッシュボード部分に配置される。このナビゲーション装置に対する各種操作は、表示部７の表面に一体的に形成したタッチパネルや操作部１５または、無線リモートコントローラの操作によって行われる。車両の各ドアにはスピーカ１６が配置され、表示画面に連動した音声や警告音等が出力される。なお、図１の観察者１０、１１は、それぞれ助手席１２、運転席１３に座り、助手席同乗者１０、運転者１１となる。図２（ｂ）は、車両内におけるナビゲーション装置１７及びスピーカ１６の配置を示す。ナビゲーション装置１７は、運転席１３と助手席１２の間の前方に配置され、第１の表示画像（助手席画像）８及び第２の表示画像（運転席画像）９は、それぞれ視聴範囲（視聴方向）１８および１９内において視聴することができる。後部座席１４からは、着座位置により所望の画像が見られる。なおスピーカは、運転席側１６ＦＲ、助手席側１６ＦＬ、後部座席右側１６ＲＲ、後部座席１６ＲＬに配置されている。
【００１４】
図３（ａ）及び（ｂ）は、本発明に係る本発明に係るナビゲーション装置の外観図である。図３（ａ）のように、ナビゲーション装置１７は、液晶パネル１９及び操作部１５を有する表示部７と本体部１８からなる。表示部７のスイッチ２１または、タッチパネル２０を操作することにより、表示部７をチルト（斜動）させることができ、さらに、チルトさせると（オープン状態）、本体部１８の前面よりＤＶＤ等の記憶媒体を出し入れすることができる構造となっている（図３（ｂ））。
【００１５】
図４は、表示部７の断面構造である。液晶パネル１９は、ＴＦＴ基板３１とそれに対向して配置されるカラーフィルタ基板３２の間に液晶層３３を挟持した一対の基板と、その発光方向側の前面に配置された視差バリア３４とガラス基板３５とを、２枚の偏光板３６・３７の間に挟んだ構成となっており、バックライト３８からやや離隔して配設される。また、液晶パネル１９は、ＲＧＢ色（三原色）で構成される画素を有する。液晶パネル１９の各画素は、左側（助手席側）表示用と、右側（運転席側）表示用に分けられて表示制御される。そして、左側（助手席側）表示用画素は、視差バリア３４により右側（運転席側）への表示は遮断され、左側（助手席側）からは見えるようになっている。また、右側（運転席側）表示用画素は、視差バリア３４により左側（助手席側）への表示が遮断され、右側（運転席側）からは見えるようになっている。
【００１６】
図５は、本発明に係るナビゲーション装置の構成例を示すブロック図であり、いわゆるＡｕｄｉｏ  Ｖｉｓｕａｌ  Ｎａｖｉｇａｔｉｏｎ複合機への適用例である。画像・音声ソースとして、ＨＤＤ（Ｈａｒｄ  Ｄｉｓｋ  Ｄｒｉｖｅ）４１、ナビゲーション部（描画、音声案内）４２、ＤＶＤ４３、ＡＴＶ（アナログテレビ）４４、ＤＴＶ（デジタルテレビ）４５などがある。ＨＤＤ４１には、音楽データや画像データなどの各種コンテンツデータ、及び地図データや音声案内データを含むナビゲーションプログラムなどが含まれており、ＨＤＤ４１からの信号ＲＤＴは、描画回路を含むナビゲーション部４２を介して、Ａ／Ｄ変換部４６及び画像制御部４７に送られる。ナビゲーション部４２では、ＧＰＳ（Ｇｌｏｂａｌ  Ｐｏｓｉｔｉｏｎｉｎｇ  Ｓｙｓｔｅｍ：全地球測位システム）６２から現在地を検出することができ、現在位置または目的地に応じて地図表示による経路案内をし、さらに音声案内を行う。またナビゲーション部４２は、音声出力のタイミングに応じて、助手席側画像に警告等の通知を表示させるように画像制御部４７を制御することができる表示制御手段（告知手段）５８を備えている。次に、ＤＶＤ部４３及びＡＴＶ部４４からの信号ＮＤＴは、スイッチ（ＳＷ）部４８により選択され、ナビゲーション部４２、及びＡ／Ｄ変換部４９に送られる。そして、ＤＴＶ部４５からの画像信号ＤＤＴは外部入力として、Ａ／Ｄ変換部５０に送られる。なお、各ソースからの信号は、例えば、ＨＤＤ部４１からはＲＧＢ信号であり、ＤＶＤ部４３及びＡＴＶ部４４からはＮＴＳＣ（Ｎａｔｉｎａｌ  Ｔｅｌｅｖｉｓｉｏｎ  Ｓｙｓｔｅｍ  Ｃｏｍｉｔｅｅ）形式もしくは、ＰＡＬ（Ｐｈａｓｅ  Ａｌｔｅｒｎａｔｉｎｇ  Ｌｉｎｅ）形式の信号であり、またＤＴＶ部はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調された信号の復調信号である。また、ＨＤＤ４１からの音声信号はナビゲーション部４２を、ＤＶＤ４３およびＡＴＶ４４の音声信号はＳＷ４８をそれぞれ介して、ＤＴＶは直接に、ＤＳＰ部（Ｄｉｇｉｔａｌ  Ｓｉｇｎａｌ  Ｐｒｏｃｅｓｓｏｒ）６１に送られる。なおＤＳＰ部６１では、音声出力に関して出力スピーカの選択や各スピーカの音量調整、音響設定などの制御を行っている音声出力制御手段である。Ａ／Ｄ変換部４９からの信号ＮＤＴは、Ｙ／Ｃ分離部５１で輝度信号（Ｙ信号）と色信号（Ｃ信号）が分離され、ＲＧＢデコーダ部５２でＲＧＢ信号に復調され、ガンマ補正部５３でガンマ補正が行われる。画像制御部４７では、補正後の画像信号ＮＤＴ、またはＡ／Ｄ変換部５０からの信号ＤＤＴが入力され、画素補間部５４に出力する。また、画素補間部５４には、Ａ／Ｄ変換部４６からの画像信号ＲＤＴも入力され、表示画面に適合するように、各画像の画素の間引きや調整など両画像の補正を行う。補正された画像は、ＲＧＢ画素並び替え部５５にて、画素の並び替えが行われ、ガンマ補正部５６にて、ガンマ補正が行われる。なお、表示制御手段（告知手段）５８からの画像を、助手席側画像の一部に表示させる場合、表示制御手段（告知手段）５８は、画像制御部４７にその画像信号を送り、画像制御手段４���で、ガンマ補正部５３又はＡ／Ｄ変換部５０からの信号と合わされ、画素補間部５４へ送られ、画素補間部５４で画像が合成された後、ＲＢＧ画素並び替え部５５で助手席画像に表示されるように並び替えられる。そして、補正後の画像信号はＴＦＴコントローラ部５７を介して、表示部７に表示される。なお、ＣＰＵ５９は、画面制御部４７や画素補間部５４、ＲＧＢ画素並び替え部５５等の表示装置内の各部と接続されており、操作部１５又はリモコン６３からの操作を受け付けて、表示モードやソース選択、画素補正等のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）の設定ができる。また、メモリ６０には、画像処理用プログラムなど各種プログラムが記憶され、ＶＲＡＭ（Ｖｉｄｅｏ−ＲＡＭ）としても使用されている。
【００１７】
図６は、ＲＧＢ画素並び替え部５５を説明する図である。助手席用画像（例えばＤＶＤ画像）７１と運転席用画像（例えばナビゲーション画像）７２は、それぞれＲＧＢ信号（７１Ｒ、７１Ｇ、７１Ｂ、７２Ｒ、７２Ｇ、７２Ｂ）を有しており、図６のように、液晶パネル１９の各画素７３に対して画素補間部５４で調整された画像制御部４７からの信号とＡ／Ｄ変換部４６からの信号を交互に入力し、助手席用画像８と運転席用画像９を表示する。このようにして、第1の方向に第1の画像を、第２の方向に第２の画像を、同一画面上にそれぞれ表示させることができる。なお、視差バリア３４の隣り合う間隔７４及び視差バリア３４と画素７３の間隔７５を調整することで、助手席用画像の可視範囲１８及び運転席用画像の可視範囲１９を調整することができる。つまり、最適な可視範囲に調整することで、運転者と同乗者に異なった表示を提供することが可能となる。
【００１８】
これより以降、本発明に係るナビゲーション装置の助手席画像へのナビ音声出力表示について説明する。ナビ音声出力表示とは、例えば、図７のように、運転者がナビゲーション画像を見て、同乗者がテレビ画像を見ている場合に、現在位置が右左折する交差点へ近づくと、ナビゲーションの音声案内が出力される。これに先立ち、または同時に運転席側の音声が出力されることをナビ音声出力表示８１として、助手席画像に表示することで、視聴していない音声の出力により同乗者が驚くことを抑えることができる。つまり、同乗者が視聴していない画像の音声が突然出力されると、同乗者は驚き、同乗者が視聴している画像の音声を聞き逃してしまう可能性さえあるが、助手席画像上で音声案内が出力されることを知らせることにより、同乗者の驚きを抑えるようにするものである。さらに、驚くことにより同乗者が見ている画像の音声を聞き逃すことの無いように注意を喚起する機能もある。また、見ているものとは異なる音声が出力中であることを知ることができるので、混乱することがない。
【００１９】
ナビ音声出力表示を適用したナビゲーション装置の動作を、図８を用いて説明する。図８は、車両が経路を走行する場合の音声案内とナビ音声出力表示のタイミングを説明する図である。図中の８２は建物、８３は道路、８４は信号、８５は自車両（現在地）、８６は現在地から目的地までのルートである。なお、ナビゲーション装置では、使用者が目的地８７を設定すると、ナビゲーション部４２により、現在位置８５から目的地８７までの、最適なルートが検索される。現在位置の進行に応じて、進行方向を変更すべき交差点付近では「まもなく右折です。」と出力され、その交差点手前３００ｍでは「３００ｍ先を右折です。」などと音声案内が出力される。
【００２０】
ここで、ナビゲーション装置の表示制御手段（告知手段）５８は、図９に示すフローチャートのように表示制御を行う。ナビ音声出力表示を行うように設定されると（ステップＳＴ１）、車両の現在位置が、ナビゲーションの案内開始地点の５０ｍ手前地点を通過したかを確認する（ステップＳＴ２）。ステップＳＴ２で、ナビゲーションの案内開始地点の５０ｍ手前地点に到着（もしくは通過）したと判断されると、助手席画像に図１１（ａ）に示す表示例のようにテレビ画像の一部にナビ音声出力表示９２を表示させる（ステップＳＴ３）。そのまま車両が進行し、ナビゲーションの音声案内が開始されると（ステップＳＴ４）、助手席画像に表示していたナビ音声出力表示を解除する（ステップＳＴ５）。つまり、テレビ画像のみの表示となる。このとき、次の音声案内開始点まで５０ｍ以内である場合（ステップＳＴ６）、助手席画像に残りの距離に応じたナビ音声出力表示を行う（ステップＳＴ３）。一方、次の音声案内開始点まで５０ｍ以内でない場合には（ステップＳＴ６）、次の音声案内開始点まで５０ｍになるかどうかを判断する（ステップＳＴ２）。
【００２１】
図８における自車位置と上述のように表示制御されるナビ音声出力表示とナビ音声案内出力の関係を、図１０のタイミングチャートとあわせて説明する。自車８５が、音声案内開始地点まで５０ｍ手前である（ａ）地点に到達すると、助手席画像にナビ音声出力表示８１を表示する（ステップＳＴ３、図１０（ａ））。そして車両８１が進行し、音声案内開始地点である（ｂ）地点に到着し、音声案内ｂ「３００ｍ先を左折です。」が開始されると（ステップＳＴ４）、ナビ音声出力表示８１が解除される（ステップＳＴ５、図１０（ｂ））。同様に、自車両が（ｃ）地点に到着すると、音声出力表示８１が助手席画像に表示される（図１０（ｃ））。そして（ｄ）地点に到着すると音声案内が開始される（図１０（ｄ））。ただし、（ｄ）地点は、次の音声案内開始地点（ｅ）まで４０ｍであり、５０ｍ以内であるため（ステップＳＴ６）、ナビ音声出力表示８１は音声開始後、一旦消え、すぐに残り４０ｍを示した表示を行う（図１０（ｄ））。なお、図１０の（ｄ）地点において、ナビ音声出力表示８１は一旦消えてすぐに表示させるが、消さずにそのまま表示され続けるようにしても良い。そして、（ｅ）地点に到着すると、音声案内が開始され、ナビ音声出力表示８１が消去される（図１０（ｅ））。（ｆ）地点及び（ｈ）地点では、（ａ）地点の場合と同様に、ナビ音声出力表示８１が表示され（図１０（ｆ）、（ｈ））、車両が（ｇ）地点、（ｉ）地点に到着すると、音声案内が出力され、ナビ音声出力表示８１が解除される（図１０（ｇ）、（ｉ））。このように、音声案内の出力前に音声案内のタイミングを同乗者に知らせることにより、同乗者は音声案内のタイミングを知ることができ、突然出力されていた音声案内による驚きを抑えることができる。
【００２２】
この他のナビ音声出力表示について説明する。図１１は、ナビ音声出力表示された助手席画像の例である。助手席画像には、テレビ画像９１が表示されており、例えば図１１（ａ）のように、画像の左上に現在位置８５から音声案内地点までの距離を示すインジケータ９２が表示される。車両が経路８６に沿って走行することにより、インジケータ９２の表示が減っていき、音声案内地点に到着すると、残りは０となり音声案内が開始される。このようにして、同乗者は視覚的に音声案内開始のタイミングを把握することができる。
【００２３】
なお、インジケータ表示９２が解除されるタイミングについて、上述の例では、音声案内開始地点に到着あるいは通過もしくは音声案内が開始されると、インジケータ表示９２は消えることとしている。これにより、助手席画面に必要以上にインジケータ９２を表示させることを防ぐことができるが、音声案内が終了するまでインジケータ９２を表示し、音声案内が終了すると同時にインジケータ表示９２も終了するようにしてもよい。また、インジケータの枠を常時表示するようにしても良い。これにより使用者の最適な表示方法を提供できる。
【００２４】
上述の実施例では、インジケータ９２の表示タイミングの判断や表示のメモリを、距離を基準としていたが、その他の例を図１１（ｂ）〜（ｅ）に示す。図１１（ｂ）は、時間を基準にした円グラフ表示９３である。車両の現在位置８５から音声案内地点まで距離を、現在走行している速度で割ることにより、残り時間を予測し表示する。音声案内開始のタイミングを時間で知りたい場合に効果的である。図１１（ｃ）は、交差点もしくは信号の個数に基づいて判断した文字表示９４である。音声案内の対象となる交差点や信号までの残りの個数を文字で表示するため、距離感がわかりにくい距離表示や、値が変動しやすい時間表示ではなく、実際の道路状況で知りたい場合に効果的である。図１１（ｄ）は、変化する表示ではなく、音声案内がまもなく出力されることを知らせるマーク表示９５である。このマーク表示９５は、これまでの距離もしくは時間、個数などに基づいて表示のタイミングを判断するが、インジケータ表示等のように値の変動は表示しない。これにより、値変動によるインジケータ表示が変化しないため、同乗者が助手席画像を見やすくすることができる。また音量を表示するようにしても良い。なお、インジケータ表示等の変化する表示を用いずに、タイミングに応じて強調したい場合など、マーク表示９５を点滅などさせると効果的である。図１１（ｅ）は、音声案内タイミングの簡易地図表示９６である。この地図は、運転席画像に表示されているナビゲーション画像と同じでもよいし、同じ地図データから簡易版として作成してもよいし、専用に作成された地図でもよい。この地図に、車両の現在位置及び音声案内開始ポイントを表示させる。これにより同乗者は、より適確にさらに視覚的に音声案内タイミングを知ることができる。さらに自車両の位置も知ることができる。ただし、これらの表示タイミングは、図９のナビ音声出力表示の表示制御と同様の制御で行われる。なお、音声案内中にナビ音声出力表示を表示させることにより、見ているものとは異なる音声が出力中であることを知ることができるので、混乱することがない。
【００２５】
図１２は、第１ナビ音声出力表示設定画面である。上述のナビ音声出力表示は、図１２に示すナビ音声出力表示の設定を変更できる設定画面により、変更することができる。図１２の第１ナビ音声出力設定画面では、上述したナビ音声出力表示の表示方法１０１、ナビ音声出力表示の算出方法１０２、ナビ音声出力表示の開始時間１０３が設定できる。まずナビ音声出力表示の表示方法１０１では、例えば棒グラフ（インジケータ）１０４、円グラフ１０５、数値表示１０６、マーク表示１０７、簡易地図１０８などが選択でき、これらはそれぞれ図１１（ａ）〜（ｅ）の表示例９２〜９６に相当する。次に、ナビ音声出力表示の算出方法１０２では、何を基準にして表示させるかを決めることができ、例えば距離１０９、時間１１０、信号機１１１、交差点１１２などがある。なお、図１２中の距離１０９は図１１中の表示９２に、同様に時間１１０は表示９３に、信号機１１１および交差点１１２表示９４にそれぞれ相当している。なお、これらのうち選択されたカテゴリは背景色を変更し分かりやすくしている。さらに、図１２のナビ音声出力表示の開始時間１０３は、音声案内開始のどれだけ前から表示するかを決めることができる。この値は、表示の最大値にも用いられ、プラスボタン１１３もしくはマイナスボタン１１４により例えば１０ｍ〜３００ｍの範囲で調整でき、インジケータの算出方法１０２で選択されているカテゴリによって値１１５の単位も設定される。図１２の場合、音声案内開始地点の５０ｍ手前から棒グラフ（インジケータ）による残り距離の表示がされる設定となっており、図１１（ａ）に相当する。こうすることによって、使用者は、表示の方法、算出方法、開始時間を自由に選択することができ、使用者の好みにあった表示が可能となる。
【００２６】
上述の第１ナビ音声出力表示設定画面の他に、図１３に示す第２ナビ音声出力表示設定画面により、ナビ音声出力表示の表示条件１２１、助手席画像制御１２２、各画面の音量１２３を設定することができる。ここで、ナビ音声出力表示の表示条件とは、ナビゲーションが行う音声案内のうち、どの種類の音声案内に対して、ナビ音声出力表示を行うかの条件設定を行うことができる。音声案内の種類としては、例えば交差点等での進路変更指示を行う第１の音声案内、走行ルートの先に渋滞等の注意を促す第２の音声案内、進路に変更に関係無く走行中に踏み切り等の通行に注意を要する地点で行う第３の音声案内などがある。ただし、第１および第２の音声案内は目的地設定を行うと出力され、第３の音声案内は目的地設定を行わなくても出力される。ナビ音声出力表示の表示条件１２１中の「全ての音声案内時」１２４が選択されると、これら第１〜３の音声案内に対して、ナビ音声出力表示を行い、使用者は全ての音声案内に対して音声案内のタイミングを事前に知ることができる。また、「目的地設定時」１２５が選択されると、目的地設定を行ったときには、第１〜３型の音声案内に対して、ナビ音声出力表示を行うが、目的地設定を行っていないときには、第３の音声案内時にナビ音声出力表示が表示される。さらに、「進路変更指示の音声案内時」１２６を選択すると、目的地設定を行い、第１の音声案内が出力されるときにナビ音声出力表示を行い、それ以外では行わない。こうすることで、使用者の好みに合った条件で、ナビ音声出力表示を行うことができる。
【００２７】
図１３中の、助手席画像制御１２２では、ナビゲーションの音声案内中に、助手席画像と音声をどのように扱うかを決めることができる。例えば、「停止無し」１２７を選択すると、助手席画像及び音声は、そのまま出力され、音声案内中でも助手席画像及び音声を楽しむことができる。また、「音声をミュート」１２８を選択すると、助手席画像はそのまま出力され、音声がミュートされる。これにより音声案内が聞き取りやすくなる。さらに、「音声・画像を一時停止」１２９を選択すると、例えば図１１（ａ）〜（ｅ）に示したテレビ（ＤＶＤ）画像９１の背景が静止画となり、ナビ音声出力表示９２〜９５が静止画の上に表示される。そして、ナビ音声の出力が終了すると、一時停止を解除し、動画像が表示される。こうすることで、同乗者がテレビ／ＤＶＤを視聴していても、ナビの音声案内に視聴を妨げられる部分をつくることなく、全ての画像及び音声を楽しむことができる。音声案内時の音量増加量設定１２３では、ナビゲーションの音声案内時における、助手席画像に対応する音声の音量の増加量１３０または運転席（ナビゲーション）の音量の増加量１３１を設定できる。図２（ｂ）中のスピーカ１６ＦＲから音声案内が出力されると、残りのスピーカ１６ＦＬ、ＲＬ、ＲＲで助手席画像の音声を出力することになり、音量が下がるため、助手席画像の音声を聞き取りづらくなる場合がある。このような場合に、音声案内時の音量増加量設定１２３で、助手席用画面の音量１３０をプラスの値に設定することで、ナビ音声案内出力時における助手席用画像の音声を、音声案内が出力されていないときよりも大きくすることができる。これにより、ナビ音声が出力されても、助手席画像を聞き取りやすくなる。なお、運転席画像の音量をマイナスに下げるようにして、助手席画像の音声を聞き取りやすくするようにしてもよい。また、音声案内が聞き取りにくいと感じた場合は、助手席画像の音量１３０を下げるか音声案内の音量１３１を上げるかを行う。音量操作は、ナビ音声出力表示の開始時間１０３と同様にプラスボタン１３２・１３４、マイナスボタン１３３・１３５で操作できる。こうすることで、全体のバランスを調整しながら、各音声の音量を調整することができる。なお、「ナビ音声出力表示なし」１３６を選択すると、ナビ音声出力表示機能を解除することができる。
【００２８】
以上、第１および第２ナビ音声出力表示設定画面について説明したが、これら設定画面は、助手席画面に表示されても、運転席画面に表示されても、または両画面に表示されても良い。表示される画面により操作者は異なるが、操作方法としては、表示部と一体的に形成されているタッチパネル２０へのタッチ操作、もしくは操作ボタン１５やリモコン６２などの選択操作などがある。また、第１の画像の視聴者又は助手席同乗者への告知をナビ音声出力表示で行っているが、このほか「ピピピッ」というような音声や座席が揺れるように告知（予告）しても良い。
【００２９】
以上のように、第１の方向に第１の画像を、第２の方向に第２の画像を同一画面上に表示できる電子機器において、つまりナビゲーション画像とテレビ（ＤＶＤ）画像を表示できるナビゲーション装置等において、助手席側に関係の無い運転席側の音声が出力された場合、助手席同乗者は突然聞くことになるため、驚き、さらにテレビの音声を聞き逃す恐れがあるが、事前に助手席画像にナビゲーション音声が出力されることを表示で知らせることにより、驚きや音声の聞き逃しを抑えることができる。また、見ているものとは異なる音声が出力中であることを知ることができるので、混乱することがない。
【図面の簡単な説明】
【００３０】
【図１】本発明に係る電子機器の表示手段の概念図である。
【図２】本発明に係る電子機器を車載機器に適用したナビゲーション装置の車両への搭載例を示す斜視図（ａ）及び車両内におけるナビゲーション装置１７及びスピーカ１６の配置図（ｂ）である。
【図３】本発明に係る本発明に係るナビゲーション装置の外観図である。
【図４】本発明に係る本発明に係るナビゲーション装置の表示部７の断面構造である。
【図５】本発明に係るナビゲーション装置の構成例を示すブロック図である。
【図６】画素列の並び替え（ＲＧＢ画素並び替え５５）を説明する図である。
【図７】ナビ音声出力表示が表示された表示手段の概念図である。
【図８】車両が経路を走行する場合の音声案内とナビ音声出力表示のタイミングを説明する図である。
【図９】ナビゲーション部のナビ音声出力表示のフローチャートである。
【図１０】距離とナビ音声出力表示とナビ音声案内出力のタイミングチャートである。
【図１１】ナビ音声出力表示された助手席画像の例である。
【図１２】第１ナビ音声出力表示設定画面である。
【図１３】第２ナビ音声出力表示設定画面である。
【符号の説明】
【００３１】
７          表示部
８          第１の表示画像
９          第２の表示画像
１５        操作部
１６        スピーカ
１７        ナビゲーション装置（電子機器）
１９        液晶パネル
３８        バックライト
４１        ＨＤＤ
４２        ナビゲーション部
４３        ＤＶＤ
４４        ＡＴＶ（アナログテレビ）
４５        ＤＴＶ（デジタルテレビ
６１        ＤＳＰ
【図１】
2008045892.tif 000003
【図２】
2008045892.tif 000004
【図３】
2008045892.tif 000005
【図４】
2008045892.tif 000006
【図５】
2008045892.tif 000007
【図６】
2008045892.tif 000008
【図７】
2008045892.tif 000009
【図８】
2008045892.tif 000010
【図９】
2008045892.tif 000011
【図１０】
2008045892.tif 000012
【図１１】
2008045892.tif 000013
【図１２】
2008045892.tif 000014
【図１３】
2008045892.tif 000015